(57)【要約】【課題】光ディスクを媒体とする映像データ記録再生装置において、光ディスクの挿入（または装置の起動）から、情報の記録開始までの時間を短縮する。【解決手段】光ディスク１００に対する記録学習処理が完了する前に、符号化処理手段１０１で映像信号の符号化を開始してデータバッファ手段１０２に符号化された映像データを蓄えておき、記録学習が終了した時点でデータバッファ手段１０２に格納された映像データを光ディスク１００に記録する。これにより、光ディスク１００の挿入から、映像信号の記録開始までの時間を短縮することができる。また、光ディスク１００の挿入に伴い管理情報を解析して光ディスク１００上の空き領域検出を行ってから、ユーザーの記録開始指示を受け付けることで、光ディスク１００の空き容量が映像データの記録開始条件に満たない場合でも、ユーザーに対して記録不能であることを即座に通知することができる。【選択図】図１
2006164384.tif 000002
【特許請求の範囲】
【請求項１】
光記録媒体に対して映像データを記録再生する映像データ記録再生装置であって、映像信号を符号化する符号化処理手段と、符号化された映像データを一時的に格納するデータバッファ手段と、前記光記録媒体に対して映像データ等の情報を記録再生したり、前記光記録媒体への記録に適した記録条件を抽出するための記録学習処理をする記録再生処理手段と、映像信号の記録の開始／停止を指示する記録指示手段と、装置全体の制御を行うシステムコントロール手段とを備え、
前記システムコントロール手段は、前記記録開始手段に対して記録開始指示がなされているか否かの第１の判定を行ない、前記第１の判定結果が記録開始指示を示した場合は直ちに前記符号化処理手段に対する映像信号の符号化の開始および、前記データバッファ手段に対する映像データの格納開始を指示し、その後記録学習処理が完了したか否かの第２の判定を行ない、前記第２の判定結果が記録学習処理の完了を示したら、前記記録再生処理手段に対して前記データバッファ手段に格納されている映像データを前記光記録媒体に記録開始するように指示することを特徴とする映像データ記録再生装置。
【請求項２】
前記光記録媒体に記録された映像データ等の情報を管理するための管理情報を処理する管理情報処理手段をさらに備え、
前記システムコントロール手段は、前記記録再生処理手段に対して記録処理学習の開始前に前記光記録媒体からの管理情報の再生を指示し、
前記管理情報処理手段は、前記記録再生処理手段によって前記光記録媒体から再生された管理情報を解析して前記光記録媒体の記憶可能容量を算出して前記システムコントロール手段に通知し、
前記システムコントロール手段は、前記管理情報処理手段から通知された記録可能容量と所定値を比較して映像データが記録可能であるか否かの第３の判定を行い、前記第１の判定結果が記録開始指示を示し、かつ、前記第３の判定結果が映像データが記録可能であることを示した場合は前記符号化処理手段に対する映像信号の符号化の開始および、前記データバッファ手段に対する映像データの格納開始を指示し、その後前記第２の判定結果が記録学習処理の完了を示したら、前記記録再生処理手段に対して前記データバッファ手段に格納されている映像データを前記光記録媒体に記録開始するように指示することを特徴とする請求項１記載の映像データ記録再生装置。
【請求項３】
光記録媒体に対して映像データを記録再生する映像データ記録再生装置であって、映像信号を符号化する符号化処理手段と、符号化された映像データを一時的に格納するデータバッファ手段と、前記光記録媒体に対して映像データ等の情報を記録再生したり、前記光記録媒体への記録に適した記録条件を抽出するための記録学習処理をする記録再生処理手段と、記録学習処理の経過時間を測定する時間計測手段と、映像信号の記録の開始／停止を指示する記録指示手段と、装置全体の制御を行うシステムコントロール手段とを備え、
前記システムコントロール手段は、前記記録開始手段に対して記録開始指示がなされているか否かの第１の判定と、前記時間計測手段の測定結果が所定時間以上であるか否かを判定する第４の判定を行い、前記第１の判定結果が記録開始指示を示し、かつ、前記第４の判定結果が所定時間以上であれば前記符号化処理手段に対する映像信号の符号化の開始および、前記データバッファ手段に対する映像データの格納開始を指示し、その後記録学習処理が完了したか否かの第２の判定を行ない、前記第２の判定結果が記録学習処理の完了を示したら、前記記録再生処理手段に対して前記データバッファ手段に格納されている映像データを前記光記録媒体に記録開始するように指示することを特徴とする映像データ記録再生装置。
【請求項４】
前記時間計測手段は、記録学習の開始からの時間を計測し、経過時間を前記システムコントロール手段に通知することを特徴とする請求項３記載の映像データ記録再生装置。
【請求項５】
前記時間計測手段は、記録学習処理の状況を監視し、記録学習処理が所定の工程を終了したことを前記システムコントロール手段に通知することを特徴とする請求項３記載の映像データ記録再生装置。
【請求項６】
前記時間計測手段は、記録学習処理の状況を監視して記録学習処理が所定の工程を終了してからの時間を計測し、経過時間を前記システムコントロール手段に通知することを特徴とする請求項３記載の映像データ記録再生装置。
【請求項７】
前記光記録媒体に記録された映像データ等の情報を管理するための管理情報を処理する管理情報処理手段をさらに備え、
前記システムコントロール手段は、前記記録再生処理手段に対して記録学習処理の開始前に前記光記録媒体からの管理情報の再生を指示し、
前記管理情報処理手段は、前記記録再生処理手段によって前記光記録媒体から再生された管理情報を解析して前記光記録媒体の記憶可能容量を算出して前記システムコントロール手段に通知し、
前記システムコントロール手段は、前記管理情報処理手段から通知された記録可能容量と所定値を比較して映像データが記録可能であるか否かの第３の判定を行い、前記第１の判定結果が記録開始指示を示し、かつ、前記第３の判定結果が映像データが記録可能であることを示し、かつ、前記第４の判定結果が所定時間以上であれば前記符号化処理手段に対する映像信号の符号化の開始および、前記データバッファ手段に対する映像データの格納開始を指示し、
その後第２の判定結果が記録学習処理の完了を示したら、前記記録再生処理手段に対して前記データバッファ手段に格納されている映像データを前記光記録媒体に記録開始するように指示することを特徴とする請求項３ないし６のいずれかに記載の映像データ記録再生装置。
【請求項８】
映像信号を動画として記録するのか静止画として記録するのかを選択する記録モード選択手段をさらに備え、
前記符号化処理手段は映像信号を動画または静止画として符号化し、
前記システムコントロール手段は、前記管理情報処理手段から通知された記憶可能容量と所定値を比較して映像データが記録可能であるか否かの第３の判定を行う際に、前記モード選択手段が動画モードを示している場合は第１の諸定値との比較を行い、静止画モードを示している場合は第１の所定値より小さい第２の所定値との比較を行うことを特徴とする請求項２または７に記載の映像データ記録再生装置。
【発明の詳細な説明】
【技術分野】
【０００１】
本発明は、光ディスク等の光記録媒体を使って画像を記録する映像データ記録再生装置に関する。
【背景技術】
【０００２】
近年、情報の記録再生が可能な光ディスク（光磁気ディスクを含む）や、光ディスクに対して情報を記録再生する光ディスク記録再生装置が多く商品化されている。
【０００３】
中でも、光ディスクに対して映像信号を記録する据え置き型光ディスクレコーダや光ディスクカムコーダは、従来は記録媒体としてテープメディアを使用していた商品を、ディスクメディアの長所であるランダムアクセス性を生かしつつ記録媒体を光ディスクに置き換えることで市場を拡大している。
【０００４】
据え置き型レコーダやカムコーダにランダムアクセス性の高い記録媒体を用いるメリットとしては、
１）記録時にユーザーが空き領域検索を意識することなく即座に記録を開始できる。
２）再生時にテープメディアのように早送り／巻き戻しの必要がない。
等があげられる。
【０００５】
一方で光ディスクには、テープメディアにはない短所も存在する。
【０００６】
その一つとして、光ディスクに最適なレーザーパワーで記録するために、予めレーザーパワーを増減させながら最適書き込み条件となるパワーを学習する記録パワー学習に代表される記録のための前処理（以下、記録学習処理と記載する）が必要なことがある。
【０００７】
このため、現在商品化されている据え置き型光ディスクレコーダや光ディスクカムコーダは、光ディスクの挿入（または装置の電源投入）からユーザーの動作指示を受け付け可能になるまでに、数十秒もの時間を要するという課題があった。
【０００８】
これらの課題に対して、光ディスクの挿入（または装置の電源投入）から光ディスクに記録されている情報の再生が可能になるまでの時間を短縮することを目的として、記録学習処理を実施するまでに情報再生を優先して行なうものがある（特許文献１参照）。
【特許文献１】特開２０００−３５３３１９号公報
【発明の開示】
【発明が解決しようとする課題】
【０００９】
しかしながら、据え置き型光ディスクレコーダや光ディスクカムコーダにおいては、光ディスクの挿入（または装置の電源投入）から情報の再生までの時間のみでなく、情報の記録開始までの時間を短縮することも課題となっている。
【００１０】
現に、テープメディアを記録媒体とするカムコーダの中には、起動から記録開始までに必要な時間の短さを特徴としてユーザーに訴求する商品も多く存在している。
【００１１】
本発明は、これらの課題を鑑みて、光ディスクに映像データを記録する映像データ記録再生装置において、ディスクの挿入（または装置の電源投入）から情報の記録開始までの時間を短縮することも目的としている。
【課題を解決するための手段】
【００１２】
前記目的を達成するため、本発明に関わる第１の映像データ記録再生装置は、光ディスクに対して映像データを記録再生する映像データ記録再生装置であって、映像信号を符号化する符号化処理手段と、符号化された映像データを一時的に格納するデータバッファ手段と、前記光ディスクに対して映像データ等の情報を記録再生したり、前記光ディスクへの記録に適したレーザーパワー等の記録条件を抽出するための記録学習処理をする記録再生処理手段と、映像信号の記録の開始／停止を指示する記録指示手段と、装置全体の制御を行うシステムコントロール手段とを備え、前記システムコントロール手段は、第１の判定として前記記録指示手段に対する記録開始指示の判定を行って、前記第１の判定結果が記録開始指示を示した場合は直ちに前記符号化処理手段に対する映像信号の符号化の開始および前記データバッファ手段に対する映像データの格納開始を指示し、その後第２の判定として記録学習処理の完了の判定を行ない前記第２の判定結果が記録学習処理完了を示したら、前記記録再生処理手段に対して前記データバッファ手段に格納されている映像データを前記光ディスクに記録開始するように指示することを特徴とする。
【００１３】
本発明によれば、光ディスクに対する記録学習処理が完了する前に、映像信号の符号化を開始してデータバッファに符号化された映像データをバッファリングしておき、記録学習が終了した時点でデータバッファに格納された映像データを光ディスクに記録することで、光ディスクの挿入（または装置の起動）から、映像信号の記録開始までの時間を短縮することが可能である。
【００１４】
また、本発明に関わる第２の映像データ記録再生装置は、上記第１の映像データ記録再生装置の特徴に加えて、前記光ディスクに記録された映像データ等の情報を管理するための管理情報を処理する管理情報処理手段をさらに備え、前記システムコントロール手段は記録再生処理手段に対して記録学習処理の開始前に前記光ディスクからの管理情報の再生を指示し、前記管理情報処理手段は前記記録再生処理手段によって前記光ディスクから再生された管理情報を解析して前記光ディスクの記憶可能容量を算出して前記システムコントロール手段に通知し、前記システムコントロール手段は、前記管理情報処理手段から通知された記録可能容量と所定値を比較して映像データが記録可能であるか否かの第３の判定を行い、第１の判定結果が記録開始指示を示し、かつ、第３の判定結果が映像データが記録可能であることを示した場合は前記符号化処理手段に対する映像信号の符号化の開始および、前記データバッファ手段に対する映像データの格納開始を指示し、その後第２の判定結果が記録学習処理の完了を示したら、前記記録再生処理手段に対して前記データバッファ手段に格納されている映像データを前記光ディスクに記録開始するように指示することを特徴とする。
【００１５】
本発明によれば、本発明に関わる第１の映像データ記録再生装置の効果に加えて、光ディスクの挿入（または装置の起動）時に管理情報を解析して光ディスク上の空き領域検出を行ってから、ユーザーの記録開始指示を受け付けることで、仮に光ディスクの空き容量が映像データの記録開始条件に満たない場合でも、ユーザーに対して記録不能であることを即座に通知することが可能である。
【００１６】
また、本発明に関わる第３の映像データ記録再生装置は、映像信号を符号化する符号化処理手段と、符号化された映像データを一時的に格納するデータバッファ手段と、前記光ディスクに対して映像データ等の情報を記録再生したり、前記光ディスクへの記録に適したレーザーパワー等の記録条件を抽出するための記録学習処理をする記録再生処理手段と、記録学習処理の経過時間を測定する時間計測手段と、映像信号の記録の開始／停止を指示する記録指示手段と、装置全体の制御を行うシステムコントロール手段とを備え、前記システムコントロール手段は、前記記録開始手段に対して記録開始指示がなされているか否かの第１の判定と、前記時間計測手段の測定結果が所定時間以上であるか否かを判定する第４の判定を行い、第１の判定結果が記録開始指示を示し、かつ、第４の判定結果が所定時間以上であれば前記符号化処理手段に対する映像信号の符号化の開始および、前記データバッファ手段に対する映像データの格納開始を指示し、その後記録学習処理が完了したか否かの第２の判定を行ない、前記第２の判定結果が記録学習処理の完了を示したら、前記記録再生処理手段に対して前記データバッファ手段に格納されている映像データを前記光ディスクに記録開始するように指示することを特徴とする。
【００１７】
本発明に関わる第３の映像データ記録再生装置によれば、記録学習処理の開始から所定時間待ってからデータバッファへの映像データの格納を開始する構成とすることで、記録学習処理の開始直後からデータバッファへの格納を開始する場合と比較して小さなデータバッファサイズで光ディスクの挿入（または装置の電源投入）から記録開始までの時間を短縮可能である。しかしながらデータバッファサイズを小さくすればするだけ、記録学習処理の開始からの待ち時間を長く設定する必要があるため、本発明の目的である、光ディスクの挿入（または装置の電源投入）から記録開始までの時間を短縮するという効果とのバランスを考慮し、バッファサイズを決定する必要がある。
【００１８】
また、本発明に関わる第４の映像データ記録再生装置は、上記第３の映像データ記録再生装置の特徴に加えて、前記光ディスクに記録された映像データ等の情報を管理するための管理情報を処理する管理情報処理手段をさらに備え、前記システムコントロール手段は記録再生処理手段に対して記録学習処理の開始前に前記光ディスクからの管理情報の再生を指示し、前記管理情報処理手段は前記記録再生処理手段によって前記光ディスクから再生された管理情報を解析して前記光ディスクの記憶可能容量を算出して前記システムコントロール手段に通知し、前記システムコントロール手段は、前記管理情報処理手段から通知された記録可能容量と所定値を比較して映像データが記録可能であるか否かの第３の判定を行い、第１の判定結果が記録開始指示を示し、かつ、第３の判定結果が映像データが記録可能であることを示し、かつ、第４の判定結果が所定時間以上であれば前記符号化処理手段に対する映像信号の符号化の開始および、前記データバッファ手段に対する映像データの格納開始を指示し、その後第２の判定結果が記録学習処理の完了を示したら、前記記録再生処理手段に対して前記データバッファ手段に格納されている映像データを前記光ディスクに記録開始するように指示することを特徴とする。
【００１９】
本発明によれば、本発明に関わる第３の映像データ記録再生装置の効果に加えて、光ディスクの挿入（または装置の起動）時に管理情報を解析して光ディスク上の空き領域検出を行ってから、ユーザーの記録開始指示を受け付けることで、仮に光ディスクの空き容量が映像データの記録開始条件に満たない場合でも、ユーザーに対して記録不能であることを即座に通知することが可能である。
【００２０】
なお、本発明に関わる第２および第４の映像データ記録再生装置において、映像信号として動画および静止画の両方を記録再生可能な映像データ記録再生装置の場合は、前記システムコントロール手段は、前記管理情報処理手段から通知された記憶可能容量と所定値を比較して映像データが記録可能であるか否かの第３の判定を行う際に、前記モード選択手段が動画モードを示し手いる場合は第１の諸定値との比較を行い、静止画モードを示している場合は第１の所定値より小さい第２の所定値との比較を行うことが望ましい。上記発明によれば、光ディスクの空き容量が動画を記録するための容量に満たない場合でも、動画の場合より空き容量が小さくても記録可能な静止画は記録することが出来るため、ディスクの記録領域の有効利用が可能となる。
【発明の効果】
【００２１】
本発明によれば、光ディスクに対する記録学習処理が完了する前に、映像信号の符号化を開始してデータバッファに符号化された映像データをバッファリングしておき、記録学習が終了した時点でデータバッファに格納された映像データを光ディスクに記録することで、光ディスクの挿入（または装置の起動）から、映像信号の記録開始までの時間を短縮することが可能である。
【００２２】
また、本発明によれば、記録学習処理の開始から所定時間待ってからデータバッファへの映像データの格納を開始する構成とすることで、記録学習処理の開始直後からデータバッファへの格納を開始する場合と比較して小さなデータバッファサイズで光ディスクの挿入（または装置の電源投入）から記録開始までの時間を短縮することが可能である。
【００２３】
また、本発明によれば、光ディスクの挿入（または装置の起動）時に管理情報を解析して光ディスク上の空き領域検出を行ってから、ユーザーの記録開始指示を受け付けることで、仮に光ディスクの空き容量が映像データの記録開始条件に満たない場合でも、ユーザーに対して記録不能であることを即座に通知することが可能である。
【００２４】
また、本発明によれば、光ディスクの空き容量が動画を記録するための容量に満たない場合でも、動画の場合より空き容量が小さくても記録可能な静止画は記録することが出来るため、ディスクの記録領域の有効利用が可能となる。
【発明を実施するための最良の形態】
【００２５】
以下、本発明の実施の形態について図面を参照しながら説明する。
【００２６】
（実施の形態１）
図１は、本発明の実施の形態１にかかる映像データ記録再生装置の構成を示すブロック図である。
【００２７】
まず図１における各ブロックの動作を説明する。符号化処理手段１０１はシステムコントロール手段１０５からの指示に応じて映像信号を符号化し映像データとして、データバッファ手段１０２に出力する。データバッファ手段１０２は映像データを一旦保持し、記録再生処理手段１０３が光ディスク１００に書き込みを開始するまで映像データを保持する。記録再生処理手段１０３はシステムコントロール手段１０５からの指示に応じて、光ディスク１００に対する記録学習処理を行ったり、データバッファ手段１０２に格納された映像データを光ディスク１００に記録したり、光ディスク１００に記録された管理情報を再生して管理情報処理手段１０６に出力したり、管理情報処理手段１０６で生成された管理情報を光ディスク１００に記録する等の、光ディスク１００に対する記録再生処理を行う。ここで、記録学習処理とは、光ディスク１００に最適なレーザーパワーで記録するために、予めレーザーパワーを増減させながら最適書き込み条件となるパワーを学習する処理に代表される記録のための前処理を示す。記録指示手段１０４はシステムコントロール手段１０５に対して映像信号の記録を指示する。
【００２８】
次に、図２のフローチャートを使って、実施の形態１の映像データ記録再生装置における光ディスクの装着時の動作について説明する。
【００２９】
光ディスクの装着（または装置の起動）工程２００は、映像データ記録再生装置に光ディスク１００が装着される工程または、光ディスク１００が装着された状態で装置の電源が投入される工程を示す（以下では、電源の投入という記載は省略する）。光ディスクの装着工程２００が完了すると、記録学習処理の開始指示工程２０１で、システムコントロール手段１０５は記録再生処理手段１０３に対して記録学習処理の開始を指示する。次に第１の判定工程２０２で、システムコントロール処理手段１０５は、記録指示手段１０４からの記録の指示を確認し、記録の指示がされていなければ引き続き記録指示手段１０４の監視を行い、記録の指示がされていればデータバッファへの映像データ格納指示工程２０３へ移行する。データバッファへの映像データ格納指示工程２０３では、システムコントロール手段１０５は符号化処理手段１０１へ映像信号の符号化開始指示を行うとともに、データバッファ手段１０２に対して符号化された映像データを一時保持するように指示する。その後、第２の判定工程２０４で、システムコントロール手段１０５は記録学習処理が終了しているか否かの監視を行い、終了していなければ引き続き監視を続け、終了していれば記録再生処理手段１０３に対して光ディスク１００への映像データの記録開始を指示する（工程２０５）。記録再生処理手段１０３はデータバッファ手段１０２に格納された映像データを光ディスク１００に記録する。なお、システムコントロール手段１０５の符号化処理手段１０１に対する符号化指示が、動画データの符号化指示であれば、データバッファへの映像データ格納指示工程２０３から記録再生処理手段１０３への記録指示工程２０５まで、映像データはデータバッファ手段１０２に格納され続けるので、映像データバッファ手段１０２にはその間の映像データを格納されるだけのメモリ容量が必要となる。以降は符号化処理手段１０１の符号化処理、データバッファ手段１０２の映像データの一時保持、記録再生処理手段１０３による光ディスク１００への書き込みが順次繰り返され、動画記録が継続される。
【００３０】
以上、図２のフローチャートの処理によれば、光ディスク１００に対する記録学習処理が完了する前に、映像信号の符号化を開始してデータバッファ手段１０２に符号化された映像データをバッファリングしておき、記録学習が終了した時点でデータバッファ手段１０２に格納された映像データを光ディスク１００に記録することで、光ディスク１００の挿入（または装置の起動）から、映像信号の記録開始までの時間を短縮することが可能である。
【００３１】
なお、図２のフローチャートでは、記録媒体の装着工程２００の直後に記録学習の開始指示工程２０１を行う場合について説明を行ったが、本発明はこれに限定するものではない。本発明は、記録学習処理の終了前に映像信号の符号化を開始して、データバッファ手段１０２に一時保持した後に、記録学習処理の終了を待ってデータバッファ手段１０２内のデータを光ディスク１００に記録することを特徴とする。例えば、第１の判定工程２０２の後に記録学習処理の指示工程２０１を実施してもよい。
【００３２】
（実施の形態２）
次に、図３に示すフローチャートを使用して、本発明の実施の形態２による映像データ再生装置の光ディスク装着時の動作について説明する。なお、本実施の形態による映像データ再生装置の構成は、図１に示したものと同様とする。
【００３３】
図３のフローチャートでは、図２のフローチャートに対して、管理情報の再生指示工程２０７、第３の判定工程２０８、ユーザーへの記録領域不足通知工程２０９が追加されている。
【００３４】
光ディスクの装着工程２００が完了すると、管理情報の再生指示工程２０７で、システムコントロール手段１０５は記録再生処理手段１０３に対して光ディスク１００からの管理情報の再生を指示する。記録再生処理手段１０３は光ディスク１００から管理情報を再生し、管理情報処理手段１０６は再生された管理情報から光ディスク１００の未使用領域の容量を判別してシステムコントロール手段１０５へ通知する。次に記録学習処理の開始指示工程２０１で、システムコントロール手段１０５は記録再生処理手段１０３に対して記録学習処理の開始を指示する。次に第１の判定工程２０２で、システムコントロール手段１０５は記録指示手段１０４からの記録の指示を確認し、記録の指示がされていなければ引き続き記録指示手段１０の監視を行い、記録の指示がされていれば第３の判定工程２０８へ移行する。システムコントロール手段１０５は第３の判定工程２０８で、管理情報処理手段１０６から通知された光ディスク１００の未記録領域容量（あるいは未使用領域容量）と予め規定された所定の値を比較し、所定値に満たない場合は、ユーザーへの記録領域不足の通知工程２０９でユーザーへの通知を行い、待機状態２１０に移行する。光ディスク１００の未使用領域容量が予め規定された所定値以上であった場合は、データバッファへの映像データの格納指示２０３へ移行し、以下は図２のフローチャートと同様の処理（２０４〜２０６の工程）を継続する。
【００３５】
以上のように、図３に示すフローチャートの処理方法によれば、光ディスクの挿入（または装置の起動）時に管理情報を解析して光ディスク上の空き領域検出を行ってから、ユーザーの記録開始指示を受け付けることで、仮に光ディスクの空き容量が映像データの記録開始条件に満たない場合でも、ユーザーに対して記録不能であることを即座に通知することが可能である。
【００３６】
（実施の形態３）
以下、本発明の実施の形態３による映像データ記録再生装置ついて図面を参照しながら説明する。図４は、本実施の形態にかかる映像データ記録再生装置の構成を示すブロック図である。
【００３７】
図４において、時間計測手段１０７は、記録学習処理が開始されてからの経過時間を計測して、システムコントロール手段１０５へ通知するカウンタである。
【００３８】
次に、図５に示すフローチャートを使用して、本発明の実施の形態３の映像データ再生装置の光ディスク装着時の動作について説明する。図５のフローチャートでは図２のフローチャートに対して、管理情報の再生指示工程２０７、第４の判定工程２１１が追加されている。
【００３９】
光ディスクの装着工程２００が完了すると、管理情報の再生指示工程２０７で、システムコントロール手段１０５は記録再生処理手段１０３に対して光ディスク１００からの管理情報の再生を指示する。記録再生処理手段１０３は光ディスク１００から管理情報を再生し、管理情報処理手段１０６は再生された管理情報から光ディスクの未使用領域の容量を判別してシステムコントロール手段１０５へ通知する。次に記録学習処理の開始指示工程２０１で、システムコントロール手段１０５は記録再生処理手段１０３に対して記録学習処理の開始を指示する。記録学習指示が開始されると時間計測手段１０７では、記録学習処理が開始されてからの経過時間が計測されて、システムコントロール手段１０５へ通知される。第４の判定工程２１１では、時間計測手段１０７から通知される記録学習開始からの経過時間を監視し、経過時間が所定値以上になったところで、第１の判定工程２０２に移行して、以下図２のフローチャートと同様の処理を継続する。
【００４０】
以上、本発明の実施の形態３によれば、記録学習処理の開始から所定時間待ってからデータバッファ手段１０２への映像データの格納を開始する構成とすることで、記録学習処理の開始直後からデータバッファ手段１０２への格納を開始する場合と比較して小さなデータバッファサイズで光ディスクの挿入（または装置の電源投入）から記録開始までの時間を短縮可能である。しかしながらデータバッファサイズを小さくすればするだけ、記録学習処理の開始からの待ち時間を長く設定する必要があるため、本発明の目的である、光ディスクの挿入（または装置の電源投入）から記録開始までの時間を短縮するという効果は少なくなる。よって、実施するに当たっては、データバッファ手段１０２への格納開始の待機時間とデータバッファ手段１０２の容量とのトレードオフで、記録開始までの時間短縮の程度を調整することができる。
【００４１】
このように、時間計測手段１０７を導入することで、記録開始までの時間短縮効果は少なくなるが、必要なデータバッファサイズを小さくすることが可能になり、装置のコストや電力を小さく抑えることが可能になる。
【００４２】
なお、図５に示したフローチャートでは、記録媒体の装着工程２００の直後に記録学習の開始指示工程２０１を行う場合について説明を行ったが、本発明はこれに限定するものではない。本発明は、記録学習処理の終了前に映像信号の符号化を開始して、データバッファに一時保持した後に、記録学習処理の終了を待ってデータバッファ内のデータを光ディスクに記録することを特徴とする。例えば、第１の判定工程２０２の後に記録学習処理の指示工程２０１を実施してもよい。
【００４３】
また、図５に示したフローチャートでは、第４の判定工程２１１の後に第１の判定２０２を行っているが、本発明はこれに限定するものではない。本発明は、第４の判定工程２１１での記録開始からの経過時間が所定値以上という判定と、第１の判定工程２０２での記録指示がされているという判定の両方を持って、データバッファへの映像データ格納指示工程２０３へ移行することを特徴とする。例えば、まず第１の判定工程２０２で記録指示がされているという判定の後に、第４の判定工程２１１に移行して記録開始からの経過時間が所定値以上になるまで待ってからデータバッファへの映像データ格納指示工程２０３へ移行するような構成にしてもよい。
【００４４】
また、実施の形態３によれば、第４の判定基準として記録学習開始時間からの経過時間を用いたが、図６のフローチャートに示すように、記録学習処理の所定工程が終了したかどうかを判断基準として用いる構成（工程２１２）でも、実施の形態３と同等の効果が得られる。記録学習処理の所定工程の例としては、記録用のフォーカス位置やトラッキング位置を学習する記録サーボ学習工程や、記録時のレーザーパワーを学習する記録パワー学習工程、または記録パルス幅等を学習する記録パルス学習工程等があげられる。このように、記録学習処理内の所定の工程が終了するまで待ってからデータバッファへの映像データの格納を開始する構成とすることで、記録学習処理の開始直後からデータバッファへの格納を開始する場合と比較して小さなデータバッファサイズで光ディスクの挿入（または装置の電源投入）から記録開始までの時間を短縮可能である。
【００４５】
また、本発明の各実施の形態の説明では、記録媒体に光ディスクを使用した例について説明したが、本発明はこれに限定するものではない。本発明は、最適なレーザーパワーで記録するために、予めレーザーパワーを増減させながら最適書き込み条件となるパワーを学習する記録パワー学習に代表される記録のための前処理が必要な記録媒体を用いる映像データ記録再生装置であれば、記録媒体が光ディスクでなくても適用可能である。
【産業上の利用可能性】
【００４６】
本発明は、光ディスクに対する記録学習処理が完了する前に、映像信号の符号化を開始してデータバッファに符号化された映像データをバッファリングしておき、記録学習が終了した時点でデータバッファに格納された映像データを光ディスクに記録することで、光ディスクの挿入（または装置の起動）から、映像信号の記録開始までの時間を短縮した映像データ記録再生装置にも有用である。
【００４７】
また本発明は、記録学習処理の開始から所定時間待ってからデータバッファへの映像データの格納を開始する構成とすることで、記録学習処理の開始直後からデータバッファへの格納を開始する場合と比較して小さなデータバッファサイズで光ディスクの挿入（または装置の電源投入）から記録開始までの時間を短縮した映像データ記録再生装置にも有用である。
【００４８】
また本発明は、光ディスクの挿入（または装置の起動）時に管理情報を解析して光ディスク上の空き領域検出を行ってから、ユーザーの記録開始指示を受け付けることで、仮に光ディスクの空き容量が映像データの記録開始条件に満たない場合でも、ユーザーに対して記録不能であることを即座に通知する映像データ記録再生装置にも有用である。
【００４９】
また本発明は、光ディスクの空き容量が動画を記録するための容量に満たない場合でも、動画の場合より空き容量が小さくても記録可能な静止画は記録することが出来るため、ディスクの記録領域の有効利用が可能な映像データ記録再生装置にも有用である。
【図面の簡単な説明】
【００５０】
【図１】本発明の実施の形態１による映像データ記録再生装置の構成を示すブロック図
【図２】同実施の形態１による映像データ記録再生装置の動作を示すフローチャート
【図３】同実施の形態２による映像データ記録再生装置の動作を示すフローチャート
【図４】同実施の形態３による映像データ記録再生装置の構成を示すブロック図
【図５】同実施の形態３による映像データ記録再生装置の動作を示すフローチャート
【図６】同映像データ記録再生装置の第３の実施の形態の応用例のフローチャート
【符号の説明】
【００５１】
１００    光ディスク
１０１    符号化処理手段
１０２    データバッファ手段
１０３    記録再生処理手段
１０４    記録指示手段
１０５    システムコントロール手段
１０６    管理情報処理手段
１０７    時間計測手段
【図１】
2006164384.tif 000003
【図２】
2006164384.tif 000004
【図３】
2006164384.tif 000005
【図４】
2006164384.tif 000006
【図５】
2006164384.tif 000007
【図６】
2006164384.tif 000008